(57)【要約】【課題】  防犯効果を向上させることができるドアスコープ用プロテクタを提供する。【解決手段】  ドアスコープを覆い隠すようにドアに取り付けられるプロテクタ本体と、このプロテクタ本体に設けられ、ドアスコープに向けて光を照射する発光部とを備えたことにより、前記課題を解決した。発光部は、点滅した光をドアスコープに向けて照射することが好ましく、かつ、発光ダイオードであることが好ましい。【選択図】        図４
2006316594.tif 000002
【特許請求の範囲】
【請求項１】
ドアスコープを有するドアに取り付けられるドアスコープ用プロテクタであって、
前記ドアスコープを覆い隠すように前記ドアに取り付けられるプロテクタ本体と、このプロテクタ本体に設けられ、前記ドアスコープに向けて光を照射する発光部とを備えたことを特徴とするドアスコープ用プロテクタ。
【請求項２】
前記発光部が、点滅した光を前記ドアスコープに向けて照射することを特徴とする請求項１に記載のドアスコープ用プロテクタ。
【請求項３】
前記発光部が、発光ダイオードであることを特徴とする請求項１又は２に記載のドアスコープ用プロテクタ。
【請求項４】
前記プロテクタ本体が、取り出し可能にホルダーに収容され、このホルダーが前記ドアに取り付けられ、かつ、当該ホルダーに収容された前記プロテクタ本体に設けられた発光部と対向すると共に前記ドアスコープを覗く覗き孔を有することを特徴とする請求項１〜３のいずれか１項に記載のドアスコープ用プロテクタ。
【請求項５】
前記プロテクタ本体が、両面粘着テープによって前記ドアに取り付けられていることを特徴とする請求項１〜３のいずれか１項に記載のドアスコープ用プロテクタ。
【請求項６】
前記プロテクタ本体が、磁力を利用して前記ドアに取り付けられていることを特徴とする請求項１〜３のいずれか１項に記載のドアスコープ用プロテクタ。
【請求項７】
前記プロテクタ本体が、吸盤によって前記ドアに取り付けられていることを特徴とする請求項１〜３のいずれか１項に記載のドアスコープ用プロテクタ。
【請求項８】
前記プロテクタ本体が、前記ドアにスライド可能に取り付けられていることを特徴とする請求項１〜３のいずれか１項に記載のドアスコープ用プロテクタ。
【請求項９】
前記プロテクタ本体が、前記ドアに回動可能に取り付けられていることを特徴とする請求項１〜３のいずれか１項に記載のドアスコープ用プロテクタ。
【発明の詳細な説明】
【技術分野】
【０００１】  本発明は、防犯効果を向上することができるドアスコープ用プロテクタに関するものである。
【背景技術】
【０００２】  一戸建ての家屋、マンション、アパート、ホテル等のドア、例えば玄関ドアには、ドアを開けることなく来訪者を確認するためのドアスコープ（のぞき孔ということがある。）が設けられている。ドアスコープは、例えば、ドアの外側に臨む対物レンズとドアの内側に臨む接眼レンズとを有すものであり、観察者が目で接眼レンズを覗き込むことによってドアの外側を観察することができる。このドアスコープの中には、室内の光がドアスコープを介して室外に漏れるものがある。例えば、室内が明るいと、ドアスコープから例えば２０ｃｍ位離れた位置の室外でドアスコープを介して室内の光を認識することができ、この光の変化により室内の人の有無等の状況を把握することができる。このため、ドアの室内側にドアスコープの接眼レンズを覆うカーテンやシャッターを取り付けることが提案されている（例えば、特許文献１、２参照。）。
【特許文献１】特開２００１−９８８５８号公報
【特許文献２】実用新案登録第３０８４９５７号公報
【発明の開示】
【発明が解決しようとする課題】
【０００３】  しかし、前述のようにドアスコープの接眼レンズをカーテンやシャッターで覆うことにより、室内の光がドアスコープを介して漏れることを防止しようとするが、カーテンやシャッターを使ってドアスコープを塞いでも、ドアスコープが暗くなるだけで防犯効果が低い。【０００４】  本発明は、このような実情に鑑みなされたものであって、その目的は、防犯効果を向上させることができるドアスコープ用プロテクタを提供することにある。
【課題を解決するための手段】
【０００５】  前記の目的を達成するために本発明のドアスコープ用プロテクタは、ドアスコープを有するドアに取り付けられるドアスコープ用プロテクタであって、前記ドアスコープを覆い隠すように前記ドアに取り付けられるプロテクタ本体と、このプロテクタ本体に設けられ、前記ドアスコープに向けて光を照射する発光部とを備えたことを特徴とする。【０００６】  この発明によれば、ドアスコープに向けて光を照射する発光部を備えたことにより、ドアスコープに照射された光がドアスコープを介してドアの反対側に至るので、ドアの外側ではドアスコープが光によって明るくなっている。その結果、あたかも防犯装置が取り付けられているようにみせられ、防犯効果を向上させることができる。【０００７】  本発明のドアスコープ用プロテクタにおいて、前記発光部が、点滅した光を前記ドアスコープに向けて照射することが好ましい。また、本発明のドアスコープ用プロテクタにおいて、前記発光部が、発光ダイオードであることが好ましい。また、本発明のドアスコープ用プロテクタにおいて、前記プロテクタ本体が、取り出し可能にホルダーに収容され、このホルダーが前記ドアに取り付けられ、かつ、当該ホルダーに収容された前記プロテクタ本体に設けられた発光部と対向すると共に前記ドアスコープを覗く覗き孔を有することが好ましい。また、本発明のドアスコープ用プロテクタにおいて、前記プロテクタ本体が、両面粘着テープによって前記ドアに取り付けられていることが好ましい。また、本発明のドアスコープ用プロテクタにおいて、前記プロテクタ本体が、磁力を利用して前記ドアに取り付けられていることが好ましい。また、本発明のドアスコープ用プロテクタにおいて、前記プロテクタ本体が、吸盤によって前記ドアに取り付けられていることが好ましい。また、本発明のドアスコープ用プロテクタにおいて、前記プロテクタ本体が、前記ドアにスライド可能に取り付けられていることが好ましい。また、本発明のドアスコープ用プロテクタにおいて、前記プロテクタ本体が、前記ドアに回動可能に取り付けられていることが好ましい。
【発明の効果】
【０００８】  以上説明したように本発明のドアスコープ用プロテクタによれば、ドアスコープに向けて光を照射する発光部を備えたので、ドアの外側ではドアスコープが光によって明るくなり、あたかも防犯装置が取り付けられているようにみせられ、防犯効果を向上させることができる。
【発明を実施するための最良の形態】
【０００９】  以下、本発明のドアスコープ用プロテクタを添付図面に基づいて詳述する。
図１〜図５は本発明のドアスコープ用プロテクタの例を示す図である。本発明のドアスコープ用プロテクタは、図１〜図５に示すように、ドアスコープ１１を有するドア１０に取り付けられるものである。ドア１０としては、図４及び図７に示すように、特に限定されず、一戸建ての家屋、マンション、アパート、ホテル等の玄関ドア等が挙げられる。ドアスコープ１１は、図４及び図８に示すように、例えば、ドア１０の外側に臨む対物レンズ１２とドア１０の内側に臨む接眼レンズ１３とを有すものであり、観察者が目で接眼レンズ１３を覗き込むことによってドア１０の外側を観察することができる。ドアスコープ１１の室内側（接眼レンズ１３）の外形は、円形状に形成され、このドアスコープ１１を覆い隠すようにドアスコープ用プロテクタ１がドア１０に取り付けられる（特に図４参照。）。【００１０】  ドアスコープ用プロテクタ１は、図１〜図５に示すように、例えば、プロテクタ本体２とプロテクタ本体２を収容するホルダー３とからなる。ホルダー３は、ドア１０に取り付けられる取付板４と、プロテクタ本体２を収容する収容部５とからなる。【００１１】  取付板４は、略矩形板状に形成されている。取付板４の裏面となる一方の面には、取付板４をドア１０に取り付けるための粘着テープ、例えば、両面粘着テープ２１が設けられており、この両面粘着テープ２１によって取付板４が、その長手方向が垂直方向となるようにドアスコープ１１を覆い隠すようにドア１０に取り付けられる。取付板４すなわちホルダー３のドア１０への取付は、ドア１０に取り付けることができれば、両面粘着テープ２１に限定されず、他の手段、例えば、吸盤、磁石、接着剤、金具等を用いて行うようにしてもよい。【００１２】  取付板４の略中央部から上端部までの間であって上端部よりには、貫通孔７が設けられている。貫通孔７は、取付板４を取り付ける側すなわち室内側のドアスコープ１１の外形の径より大きな、好ましくは若干大きな寸法の径の円形状に形成されている。この貫通孔７内にドアスコープ１１が位置されるように取付板４すなわちホルダー３がドア１０に取り付けられる。取付板４の略中央部から下端部までが収容部５として形成されている。【００１３】  収容部５は、取付板４の略中央部から下端部までの箇所である後板５ａと、この後板５ａの両側部に設けられ、後板５ａの表面から直交する方向にそれぞれ延びる側板５ｂ、５ｂと、後板５ａの下端部に設けられ、後板５ａの表面から直交する方向に延びる底板５ｃと、後板５ａと対向すると共に側板５ｂ、５ｂ及び底板５ｃが接続されている前板５ｄとからなる。すなわち、収容部５は、上部が開放された矩形箱状に形成されている。この上部の開口部からホルダー３内にプロテクタ本体２の下方が挿入される。【００１４】  プロテクタ本体２は、前面、後面、上面、下面及び両側面からなる略矩形箱状に形成されている。このプロテクタ本体２は、略中央部から下面までが収容部５に嵌合された状態で装着される装着部２ａとして形成されている。すなわち、後面は、凸状に形成され、前面及び両側面は段状にそれぞれ形成されており、プロテクタ本体２の全体が前面から目視すると凸状になっている。【００１５】  プロテクタ本体２の後面には、発光部８が設けられている。発光部８は、ドアスコープ１１に向けて光を照射するものである。発光部８としては、例えば、ＬＥＤ９などの発光ダイオード等が挙げられる。ＬＥＤ９は、１つでも２つ以上でもよく、例えば、１つである。発光部８からの光の色は、白色、赤色、青色等特に限定されず、赤色が望ましい。また、発光部８からの光は、常時発光させてもよいが、好ましくは点滅させることがよい。この点滅は、一定間隔の速さで点滅させることが好ましい。例えば、ＬＥＤの光を１２５分の１秒の速さで発光点滅させ、３秒間休止させる。その後、この動作を同じ間隔で繰り返すことによって、より防犯効果を向上させることが出来る。【００１６】  発光部８は、後面の円形の発光凹部２ｂ内に設けられている。発光凹部２ｂの外形は、例えば、取付板４の貫通孔７より大きな寸法の径の円形状に形成されている。この発光凹部２ｂは、プロテクタ本体２をホルダー３に装着したとき、貫通孔７と対向する位置に配置されている。発光凹部２ｂの内面は、一種の反射鏡となるように球面状に形成されていることが好ましく、この内面の中央部に発光部８であるＬＥＤ９が配置されている。【００１７】  また、プロテクタ本体２内には、基板２３や発光部８を発光させるための給電源等が収容されている。給電源は、例えば、ボタン電池、単１電池〜単４電池等であり、好ましくは単３電池２本を直列に接続したものである。プロテクタ本体２には、例えば、単３電池２本を交換可能に収容する電池収容部２４が設けられている。また、プロテクタ本体２にはスイッチ２５が設けられている。スイッチ２５は、例えば、装着部２ａより上方の前面に設けられている。スイッチ２５は、例えば、押し込み操作することによってＬＥＤ９からの光の照射と非照射とを切り替えるものである。なお、図４においてＬＥＤ９とスイッチ２５とは垂直方向に平行な同一断面上に記載してあるが、これは１つの図面で分かりやすいように記載したからであり、実際にはＬＥＤ９とスイッチ２５とは垂直方向に平行な同一直線上に位置されていない。【００１８】  次に、本発明に係るドアスコープ用プロテクタの作用を説明する。【００１９】  まず、ホルダー３（取付板４）の裏面の両面粘着テープ２１に取り付けられている紙を剥がし、両面粘着テープ２１の粘着部を露出させる。このホルダー３の貫通孔７をドアスコープ１１に孔合わせしつつ両面粘着テープ２１の粘着部をドア１０の表面に接触させて、ホルダー３をドア１０に取り付ける（固定する）。次に、このホルダー３の収容部５にプロテクタ本体２の装着部２ａを装入して嵌合し、プロテクタ本体２をホルダー３に装着する。これによって、本発明に係るドアスコープ用プロテクタ１を簡単にドア１０に取り付けることができる。そして、スイッチ２５をＬＥＤ９が発光するように押し込み操作する。【００２０】  スイッチ２５の作動によりＬＥＤ９から光例えば赤色の光がドアスコープ１１に向けて間欠的に照射される。照射された光の一部がドアスコープ１１を介してドア１０の外側に達する。これにより、ドア１０の外側では、ドアスコープ１１が赤色に明るくなったり暗くなったりする。すなわち、赤色に点滅する。その結果、あたか��防犯装置が取り付けられているようにみせられ、防犯効果を向上させることができる。【００２１】  したがって、本発明に係るドアスコープ用プロテクタ１は、取り付けが簡単であると共に、防犯効果を向上させることができる。【００２２】  また、発光部８としてＬＥＤ９を用いることにより、例えば単３電池２本によって連続６ヶ月ＬＥＤ９を発光させることができる。【００２３】  また、前記の本発明に係るドアスコープ用プロテクタ１は、ホルダー３を用いてプロテクタ本体２をドア１０に取り付ける場合について説明したが、これに限定されることはない。例えば、図６（ａ）に示すように、プロテクタ本体１０１の裏面の四隅近傍に吸盤１０２をそれぞれ設けるようにしてもよい。【００２４】  また、図６（ｂ）に示すように、ドア１０が磁性帯材料（磁気を有する材料かそれ自体磁気を有していないが磁気により磁気を有する材料）で形成されている場合には、例えば、プロテクタ本体１１１の裏面の四隅近傍に磁気を発生させる磁石等の磁気発生体１１２をそれぞれ設けるようにしてもよいし、図６（ｃ）に示すように、ドア１０が非磁性体材料で形成されている場合には、例えば、プロテクタ本体１１１の裏面の四隅近傍に磁気を発生させる磁石等の磁気発生体１１２をそれぞれ設けると共に、それら磁石が磁力によりプロテクタ本体１１１をドア１０に取り付けるための磁性帯体１１５をドアに設けるようにしてもよい。【００２５】  また、ドア１０のドアスコープ１１の上方近傍に、図６（ｄ）に示すように、ドア１０から突出する振り子用ホルダー１２３を例えば両面粘着テープによって設け、この振り子用ホルダー１２３にプロテクタ本体１２１を係合させて、振り子用ホルダー１２３を軸にプロテクタ本体１２１を両方向に回動可能にプロテクタ本体１２１を支持するようにしてもよい。また、図６（ｅ）に示すように、プロテクタ本体１３１の上面に、プロテクタ本体１３１を水平方向を軸に回動させてドアスコープ１１を開閉可能にする振り上げ部１３２を設けるようにしてもよい。【００２６】  また、図６（ｆ）に示すように、プロテクタ本体１４１の上面及び下面に、それぞれ水平方向にスライド可能に係合するスライド部材１４２、１４２をドアスコープ１１の上方及び下方にそれぞれ設けて、ドアスコープ１１の開閉を行うようにしてもよい。また、図６（ｇ）に示すように、プロテクタ本体１５１の両側面に、それぞれ垂直方向にスライド可能に係合するスライド部材１５２、１５２をドアスコープ１１の両側にそれぞれ設けて、ドアスコープ１１の開閉を行うようにしてもよい。
【図面の簡単な説明】
【００２７】
【図１】  本発明のドアスコープ用プロテクタの一例を示す図で、（ａ）は正面斜視図、（ｂ）は背面斜視図である。
【図２】  本発明のプロテクタ本体の一例を示す図で、（ａ）は正面斜視図、（ｂ）は背面斜視図である。
【図３】  本発明のフォルダー一例を示す正面斜視図である。
【図４】  本発明のドアスコープ用プロテクタの一例を示す一部断面図である。
【図５】  本発明のプロテクタ本体の後面を取り外した状態を示す図である。
【図６】  本発明のドアスコープ用プロテクタの取付手段の例を示す斜視図である。
【図７】  ドアスコープを有するドアの一例を示す正面図である。
【図８】  ドアスコープの一例を示す斜視図で、（ａ）は室外側を示す図、（ｂ）は室内側を示す図である。
【符号の説明】
【００２８】  １  ドアスコープ用プロテクタ
２  プロテクタ本体
３  ホルダー
４  取付板
５  収容部
７  貫通孔
８  発光部
９  ＬＥＤ
１０  ドア
１１  ドアスコープ
２１  両面粘着テープ
２５  スイッチ
【図１】
2006316594.tif 000003
【図２】
2006316594.tif 000004
【図３】
2006316594.tif 000005
【図４】
2006316594.tif 000006
【図５】
2006316594.tif 000007
【図６】
2006316594.tif 000008
【図７】
2006316594.tif 000009
【図８】
2006316594.tif 000010